(57)【特許請求の範囲】
【請求項１】
ケーシング（１）内の中央部に配設されたファン（２）の吹出側に該ファン（２）を囲繞するように内側熱交換器（３Ａ）と外側熱交換器（３Ｂ）とを二重に配設し、これらの熱交換器（３Ａ），（３Ｂ）の対向空間を二次側通路（４）とするとともに、前記両熱交換器（３Ａ），（３Ｂ）の上端部を連結板（５）で連結し、該連結板（５）と前記ケーシング（１）との間には、前記外側熱交換器（３Ｂ）の外側に形成される一次側通路（６Ｂ）に連通する空気通路（７）を形成して、前記両熱交換器（３Ａ），（３Ｂ）に前記ファン（２）からの一次側空気（Ｗ1）が直接送風されるように構成した空気調和機であって、前記外側熱交換器（３Ｂ）の外側に形成される一次側通路（６Ｂ）における前記外側熱交換器（３Ｂ）の一次側に対向する壁面（１２）には、前記一次側空気（Ｗ1）が衝突する形状の突部（１３）を設けたことを特徴とする空気調和機。
【請求項２】
ファン（２）の吹出側に位置し、該ファン（２）から送風される一次側空気（Ｗ1）の流入方向に対する傾斜角（α）が小さくなるようにケーシング（１）内に配設された熱交換器（３）を備えた空気調和機であって、前記熱交換器（３）の一次側通路（６）を形成する部材における前記熱交換器（３）の一次側に対向する壁面（１２）には、前記一次側空気（Ｗ1）が衝突する形状の突部（１３）を設けたことを特徴とする空気調和機。
【請求項３】
前記突部（１３）における前記一次側空気（Ｗ1）の主流方向上の位置を、該一次側空気（Ｗ1）の主流方向に直交する方向において変化させたことを特徴とする前記請求項１および２のいずれか一項記載の空気調和機。
【請求項４】
前記突部（１３）における一次側空気（Ｗ1）の主流方向上の位置が変化する部位には、一次側空気（Ｗ1）の主流の上流方向に延びる偏流防止手段（１４）を設けたことを特徴とする前記請求項３記載の空気調和機。
【請求項５】
前記突部（１３）の基部（１３ａ）を曲面で形成したことを特徴とする前記請求項１、２、３および４のいずれか一項記載の空気調和機。
【請求項６】
前記突部（１３）を前記一次側空気（Ｗ1）の主流方向に複数形成するとともに、これらの突部（１３），（１３）・・の突出量（Ｌ）を、前記一次側空気（Ｗ1）の流速（Ｕ）に対応させて変化させたことを特徴とする前記請求項１、２、３、４および５のいずれか一項記載の空気調和機。
【請求項７】
前記突部（１３）を前記一次側空気（Ｗ1）の主流方向に複数形成するとともに、これらの突部（１３），（１３）・・間を、下流側に向かうにしたがって流路が狭くなるようにテーパ面（１５），（１５）・・で連結したことを特徴とする前記請求項１、２、３、４および５のいずれか一項記載の空気調和機。
【請求項８】
前記突部（１３）を形成する部材あるいは該突部（１３）を含む壁面（１２）全体を吸音材（１７）で構成したことを特徴とする前記請求項１、２、３、４、５、６および７のいずれか一項記載の空気調和機。
【発明の詳細な説明】
【０００１】
【発明の属する技術分野】
本願発明は、空気調和機に関し、さらに詳しくは熱交換器を通過する空気の偏流発生を解消し得るようにした空気調和機に関するものである。
【０００２】
【従来の技術】
例えば、図１に示すように、ケーシング１内の中央部に配設されたファン（例えば、ターボファン）２の吹出側に該ターボファン２を囲繞するように内側熱交換器３Ａと外側熱交換器３Ｂとを二重に配設し、これらの熱交換器３Ａ，３Ｂの対向空間を二次側通路４とするとともに、前記両熱交換器３Ａ，３Ｂの上端部を連結板５で連結し、該連結板５と前記ケーシング１との間に、前記外側熱交換器３Ｂの外側に形成される一次側通路６Ｂに連通する空気通路７を形成して、前記両熱交換器３Ａ，３Ｂに前記ターボファン２からの一次側空気Ｗ1が直接送風されるように構成した天井埋込式の空気調和機、あるいは図１２に示すように、ファン（例えば、シロッコファン）２の吹出側に位置し、該シロッコファン２から送風される一次側空気Ｗ1の流入方向に対する傾斜角αが小さくなるようにケーシング１内に配設された熱交換器３を備えた天井吊り下げ型の空気調和機は、従来からよく知られている。
【０００３】
【発明が解決しようとする課題】
上記構成の空気調和機の場合、図１に示す天井埋込式空気調和機においては、図３に示すように、外側熱交換器３Ｂの外側に形成される一次側通路６Ｂが、通路断面の狭い行き止まり形状とされているため、一次側通路６Ｂを流れる一次側空気Ｗ1の主流は、外側熱交換器３Ｂ自身の抵抗による整流作用が十分に働かず、該一次側通路６Ｂにおける外側熱交換器３Ｂと対向する壁面１２に沿って流入した後に外側熱交換器３Ｂを通過することとなるため、外側熱交換器３Ｂを通過する空気の風速分布Ａ′が下方側（換言すれば、奥側）に偏った不均一なものとなるし、図１２に示す天井吊り下げ型空気調和機においては、一次側通路６が、熱交換器３の前方側に向かうに従って狭くなる行き止まり形状とされているため、一次側通路６を流れる一次側空気Ｗ1は、熱交換器３自身の抵抗による整流作用が十分に働かず、該一次側通路６における熱交換器３と対向する壁面１２に沿って流入した後に熱交換器３を通過することとなるため、熱交換器３を通過する空気の風速分布Ａ′が前方側（換言すれば、奥側）に偏った不均一なものとなる。
【０００４】
上記したように熱交換器通過風速分布が不均一となると、熱交換能力が低下するし、局所的に風速が大きくなることによる空力騒音の発生やドレン水の飛散などの不具合が生じる。
【０００５】
本願発明は、上記の点に鑑みてなされたもので、通路断面が狭い行き止まり形状の一次側通路から熱交換器を通過する空気の風速分布が均一となるようにすることを目的とするものである。
【０００６】
【課題を解決するための手段】
請求項１の発明では、上記課題を解決するための手段として、ケーシング１内の中央部に配設されたファン２の吹出側に該ファン２を囲繞するように内側熱交換器３Ａと外側熱交換器３Ｂとを二重に配設し、これらの熱交換器３Ａ，３Ｂの対向空間を二次側通路４とするとともに、前記両熱交換器３Ａ，３Ｂの上端部を連結板５で連結し、該連結板５と前記ケーシング１との間に、前記外側熱交換器３Ｂの外側に形成される一次側通路６Ｂに連通する空気通路７を形成して、前記両熱交換器３Ａ，３Ｂに前記ファン２からの一次側空気Ｗ1が直接送風されるように構成した空気調和機において、前記外側熱交換器３Ｂの外側に形成される一次側通路６Ｂにおける前記外側熱交換器３Ｂの一次側に対向する壁面１２に、前記一次側空気Ｗ1が衝突する形状の突部１３を設けている。
【０００７】
上記のように構成したことにより、外側熱交換器３Ｂの外側に形成される一次側通路６Ｂが通路断面の狭い行き止まり形状であっても、該一次側通路６Ｂを流れる一次側空気Ｗ1が、該外側熱交換器３Ｂの一次側に対向する壁面１２に形成された突部１３に衝突して、一次側空気Ｗ1の運動エネルギーが圧力に変換されることとなり、外側熱交換器３Ｂを通過する空気の風速分布Ａが均一化される。その結果、熱交換能力が向上するし、空力騒音の発生やドレン水の飛散も防止できる。
【０００８】
請求項２の発明では、上記課題を解決するための手段として、ファン２の吹出側に位置し、該ファン２から送風される一次側空気Ｗ1の流入方向に対する傾斜角αが小さくなるようにケーシング１内に配設された熱交換器３を備えた空気調和機において、前記熱交換器３の一次側通路６を形成する部材における前記熱交換器３の一次側に対向する壁面１２に、前記一次側空気Ｗ1が衝突する形状の突部１３を設けている。
【０００９】
上記のように構成したことにより、熱交換器３の一次側通路６が通路断面の狭い行き止まり形状であっても、該一次側通路６を流れる一次側空気Ｗ1が、該熱交換器３の一次側に対向する壁面１２に形成された突部１３に衝突して、一次側空気Ｗ1の運動エネルギーが圧力に変換されることとなり、熱交換器３を通過する空気の風速分布Ａが均一化される。その結果、熱交換能力が向上するし、空力騒音の発生やドレン水の飛散も防止できる。
【００１０】
請求項３の発明におけるように、請求項１および２のいずれか一項記載の空気調和機において、前記突部１３における前記一次側空気Ｗ1の主流方向上の位置を、該一次側空気Ｗ1の主流方向に直交する方向において変化させた場合、一次側空気Ｗ1の主流方向のみならず、該一次側空気Ｗ1の主流方向に直交する方向においても風速分布の偏流が抑制されることとなり、熱交換器全体での通過風速分布を均一化することができる。
【００１１】
請求項４の発明におけるように、請求項３記載の空気調和機において、前記突部１３における一次側空気Ｗ1の主流方向上の位置が変化する部位に、一次側空気Ｗ1の主流の上流方向に延びる偏流防止手段１４を設けた場合、突部１３における一次側空気Ｗ1の主流方向上の位置を、該一次側空気Ｗ1の主流方向に直交する方向において変化させたことにより、前記ファン２から遠い位置となる突部１３側に一次側空気Ｗ1の主流が流れ易くなって、一次側空気Ｗ1の主流方向に直交する方向に偏流が発生するおそれがあるが、偏流防止手段１４を設けたことにより、上記偏流が効果的に抑制されることとなり、熱交換器全体での通過風速分布をより一層均一化することができる。
【００１２】
請求項５の発明におけるように、請求項１、２、３および４のいずれか一項記載の空気調和機において、前記突部１３の基部１３ａを曲面で形成した場合、一次側空気Ｗ1が突部１３に衝突したときに生ずる圧力損失や乱流騒音の発生を低減することができる。
【００１３】
請求項６の発明におけるように、請求項１、２、３、４および５のいずれか一項記載の空気調和機において、前記突部１３を前記一次側空気Ｗ1の主流方向に複数形成するとともに、これらの突部１３，１３・・の突出量Ｌを、前記一次側空気Ｗ1の流速Ｕに対応させて変化させた場合、熱交換器の一次側空気Ｗ1が突部１３，１３・・に衝突したときの運動エネルギーの圧力への変換が平均化することとなり、熱交換器全体での通過風速分布をより一層均一化することができる。
【００１４】
請求項７の発明におけるように、請求項１、２、３、４および５のいずれか一項記載の空気調和機において、前記突部１３を前記一次側空気Ｗ1の主流方向に複数形成するとともに、これらの突部１３，１３・・間を、下流側に向かうにしたがって流路が狭くなるようにテーパ面１５，１５・・で連結した場合、上流側に位置する突部１３への一次側空気Ｗ1の衝突により該突部１３の下流側において空気流の剥離Ｅが発生して下流側の突部１３に衝突する風量が小さくなるという現象が生ずるが、突部１３，１３・・間を、下流側に向かうにしたがって流路が狭くなるようにテーパ面１５，１５・・で連結したことによって、突部１３，１３・・間において流路が徐々に狭まってテーパ面１５，１５・・に剥離した流れＥが再付着することとなり、剥離Ｅによる悪影響を緩和することができる。
【００１５】
請求項８の発明におけるように、請求項１、２、３、４、５、６および７のいずれか一項記載の空気調和機において、前記突部１３を形成する部材あるいは該突部１３を含む壁面１２全体を吸音材１７で構成した場合、一次側空気Ｗ1の突部１３への衝突により生ずるおそれのある衝突音を吸音材１７が吸収することとなり、騒音発生を抑制することができる。
【００１６】
【発明の実施の形態】
以下、添付の図面を参照して、本願発明の幾つかの好適な実施の形態について詳述する。
【００１７】
第１の実施の形態
図１および図２には、本願発明の第１の実施の形態にかかる空気調和機が示されている。
【００１８】
この空気調和機は、天井埋込式空気調和機とされており、図１に示すように、直方体形状のケーシング１内の中央部に配設されたファン（例えば、ターボファン）２の吹出側に該ターボファン２を囲繞するように内側熱交換器３Ａと外側熱交換器３Ｂとを二重に配設し、これらの熱交換器３Ａ，３Ｂの対向空間を二次側通路４とするとともに、前記両熱交換器３Ａ，３Ｂの上端部を連結板５で連結し、該連結板５と前記ケーシング１との間には、前記外側熱交換器３Ｂの外側に形成される一次側通路６Ｂに連通する空気通路７を形成して、前記両熱交換器３Ａ，３Ｂに前記ターボファン２からの一次側空気Ｗ1が直接送風されるように構成されている。符号６Ａは内側熱交換器３Ａの内側に形成される一次側通路、８はファンモータ、９は空気吸込口、１０は空気吹出口、１１Ａ，１１Ｂは内側熱交換器３Ａおよび外側熱交換器３Ｂからのドレンを受ける吸音断熱材製のドレンパンである。
【００１９】
ところで、上記構成の空気調和機の場合、図３に示すように、一次側通路６Ｂにおける外側熱交換器３Ｂの一次側と対向する壁面１２を平坦面のままとすると、前述したように、外側熱交換器３Ｂの外側に形成される一次側通路６Ｂが、通路断面の狭い行き止まり形状とされているため、一次側通路６Ｂを流れる一次側空気Ｗ1の主流は、熱交換器６Ｂ自身の抵抗による整流作用が十分に働かず、該一次側通路６Ｂにおける外側熱交換器３Ｂと対向する壁面１２に沿って流入した後に外側熱交換器３Ｂを通過することとなるため、外側熱交換器３Ｂを通過する空気の風速分布が、図３に符号Ａ′で示すように、下方側（換言すれば、奥側）に偏った不均一なものとなる
そこで、本実施の形態においては、前記一次側通路６Ｂにおける前記外側熱交換器３Ｂの一次側と対向する壁面１２を、前記ドレンパン１１Ｂの外側側面１１Ｂａと吸音材１７とによって構成し、前記壁面１２に、前記一次側空気Ｗ1が衝突する形状の突部１３，１３，１３が設けている。そして、該各突部１３の下方は鉛直面とされている。また、前記突部１３，１３，１３のうちの再下端に位置するものは、前記ドレンパン１１Ｂの外側側面１１Ｂａの上端部により構成されている。上記突部１３は、図示の段形状に限定されるものではなく、壁面１２から突出する突起形状とすることもできる。
【００２０】
上記のように構成したことにより、図２に示すように、外側熱交換器３Ｂの外側に形成される一次側通路６Ｂが通路断面の狭い行き止まり形状であっても、該一次側通路６Ｂを流れる一次側空気Ｗ1が、該外側熱交換器３Ｂの一次側に対向する壁面１２に形成された突部１３，１３，１３に衝突して、一次側空気Ｗ1の運動エネルギーが圧力に変換されることとなり、外側熱交換器３Ｂを通過する空気の風速分布Ａが均一化される。その結果、熱交換能力が向上するし、空力騒音の発生やドレン水の飛散も防止できる。しかも、該突部１３を含む壁面１２全体を吸音断熱材製のドレンパン１１Ｂの外側側面１１Ｂａおよび吸音材１７で構成しているので、一次側空気Ｗ1の突部１３への衝突により生ずるおそれのある衝突音をドレンパン１１Ｂの外側側面１１Ｂａおよび吸音材１７が吸収することとなり、騒音発生を抑制することができる。なお、突部１３を形成する部材のみを吸音材で構成してもよい。
【００２１】
ところで、前記各突部１３の高さ（換言すれば、一次側空気Ｗ1の主流方向上の位置）を、一次側空気Ｗ1の主流方向に直交する方向において同じとした場合、突部３が形成されていない壁面１２に対応する部位と対向する外側熱交換器３Ｂを通過する空気の流速が落ちることとなる（図２の風速分布Ａ参照）。
【００２２】
上記不具合に対処するためには、図４に示すように、前記各突部１３における前記一次側空気Ｗ1の主流方向の高さ（換言すれば、主流方向上の位置）を、該一次側空気Ｗ1の主流方向に直交する方向において変化させるとよい。このようにすると、一次側空気Ｗ1の主流方向のみならず、該一次側空気Ｗ1の主流方向に直交する方向においても風速分布の偏流が抑制されることとなり、熱交換器全体での通過風速分布を均一化することができる。
【００２３】
上記したように、各突部１３における前記一次側空気Ｗ1の主流方向の高さ（換言すれば、主流方向上の位置）を、該一次側空気Ｗ1の主流方向に直交する方向において変化させた場合、図６に示すように、高さの低い（換言すれば、ファン２から遠い位置となる）突部１３側に一次側空気Ｗ1の主流が流れ易くなって、一次側空気Ｗ1の主流方向に直交する方向に偏流が発生するおそれがある。
【００２４】
上記不具合に対処するためには、図５に示すように、前記各突部１３における一次側空気Ｗ1の主流方向の高さ（換言すれば、主流方向上の位置）が変化する部位（即ち、突部１３の両端部）に、一次側空気Ｗ1の主流の上流方向に延びる偏流防止手段（偏流防止板）１４をそれぞれ設けるとよい。このようにすると、偏流防止手段１４を設けたことによって、高さの低い（換言すれば、ファン２から遠い位置となる）突部１３側に一次側空気Ｗ1の主流が流れにくくなり、上記偏流が効果的に抑制される。
【００２５】
また、前記突部１３の突出量Ｌは、前記一次側空気Ｗ1の流速に対応させて変化させるとよい。例えば、各位置における一次側空気Ｗ1の主流の平均流速、あるいは突部１３が形成されている壁面近傍の流速をＵとしたとき、Ｌ∝β（１／Ｕ２）の関係が成立するようにすればよい。即ち、図７に示すように、一次側空気Ｗ1の流速が速い（Ｕ＝Ｕ1とされる）上流側の突出量Ｌ1より一次側空気Ｗ1の流速が遅い（Ｕ＝Ｕ2とされる）下流側の突出量Ｌ2を大きくすればよい。このようにすると、熱交換器３Ｂの一次側空気Ｗ1が突部１３に衝突したときの運動エネルギーの圧力への変換が平均化することとなり、熱交換器全体での通過風速分布をより一層均一化させることができる。
【００２６】
さらに、図８に示すように、前記各突部１３の基部１３ａを曲面で形成してもよい。このようにすると、一次側空気Ｗ1が突部１３に衝突したときに生ずる圧力損失や乱流騒音の発生を低減することができる。
【００２７】
さらにまた、図１０に示すように、突部１３，１３間を鉛直面１５′で連結した場合には、上流側に位置する突部１３への一次側空気Ｗ1の衝突により該突部１３の下流側において空気流の剥離Ｅが発生して下流側の突部１３に衝突する風量が小さくなるという現象が生ずる。
【００２８】
上記不具合に対処するためには、図９に示すように、突部１３，１３間を、下流側に向かうにしたがって流路が狭くなるようにテーパ面１５で連結すればよい。このようにすると上流側に位置する突部１３への一次側空気Ｗ1の衝突により、その下流側で生じた剥離Ｅが、突部１３，１３間において流路が徐々に狭まることにより、テーパ面１５に再付着することとなり、剥離による悪影響を緩和することができる。
【００２９】
第２の実施の形態
図１１には、本願発明の第２の実施の形態にかかる空気調和機が示されている。
【００３０】
この場合、空気調和機は、天井吊り下げ型空気調和機とされており、ファン（例えば、シロッコファン）２の吹出側に位置し、該シロッコファン２から送風される一次側空気Ｗ1の流入方向に対する傾斜角αが小さくなるように直方体形状のケーシング１内に配設された熱交換器３とを備えて構成されている。符号４は二次側通路、６は一次側通路、９は空気吸込口、１０は空気吹出口、１１は熱交換器３からのドレンを受けるドレンパン、１６はファンケーシングである。
【００３１】
ところで、上記構成の空気調和機の場合、図１２に示すように、一次側通路６における外側熱交換器３Ｂの一次側と対向する壁面（例えば、ファンケーシング１６の吹出口１６ａの一部）１２を平坦面のままとすると、前述したように、一次側通路６が、熱交換器３の前方側に向かうに従って狭くなる行き止まり形状とされているため、一次側通路６を流れる一次側空気Ｗ1は、熱交換器３自身の抵抗による整流作用が十分に働かず、該一次側通路６における熱交換器３と対向する壁面（例えば、ファンケーシング１６の吹出口１６ａの一部）１２に沿って流入した後に熱交換器３を通過することとなり、熱交換器３を通過する空気の風速分布が、図１２において符号Ａ′で示すように、前方側（換言すれば、奥側）に偏った不均一なものとなる。
【００３２】
そこで、本実施の形態においては、前記熱交換器３の一次側通路６を形成する部材における前記熱交換器の一次側に対向する壁面（例えば、ファンケーシング１６の吹出口１６ａの一部）１２には、前記一次側空気Ｗ1が衝突する形状の突部１３，１３・・が設けられている。
【００３３】
上記のように構成したことにより、熱交換器３の一次側通路６が通路断面の狭い行き止まり形状であっても、該一次側通路６を流れる一次側空気Ｗ1が、該熱交換器３の一次側に対向する壁面１２に形成された突部１３，１３・・に衝突して、一次側空気Ｗ1の運動エネルギーが圧力に変換されることとなり、熱交換器３を通過する空気の風速分布Ａが均一化される。その結果、熱交換能力が向上するし、空力騒音の発生やドレン水の飛散も防止できる。
【００３４】
本実施の形態においても、第１の実施の形態におけると同様に、突部１３の形状等に工夫をこらすことができる。
【００３５】
【発明の効果】
請求項１の発明によれば、ケーシング１内の中央部に配設されたファン２の吹出側に該ファン２を囲繞するように内側熱交換器３Ａと外側熱交換器３Ｂとを二重に配設し、これらの熱交換器３Ａ，３Ｂの対向空間を二次側通路４とするとともに、前記両熱交換器３Ａ，３Ｂの上端部を連結板５で連結し、該連結板５と前記ケーシング１との間に、前記外側熱交換器３Ｂの外側に形成される一次側通路６Ｂに連通する空気通路７を形成して、前記両熱交換器３Ａ，３Ｂに前記ファン２からの一次側空気Ｗ1が直接送風されるように構成した空気調和機において、前記外側熱交換器３Ｂの外側に形成される一次側通路６Ｂにおける前記外側熱交換器３Ｂの一次側に対向する壁面１２に、前記一次側空気Ｗ1が衝突する形状の突部１３を設けて、外側熱交換器３Ｂの外側に形成される一次側通路６Ｂが通路断面の狭い行き止まり形状であっても、該一次側通路６Ｂを流れる一次側空気Ｗ1が、該外側熱交換器３Ｂの一次側に対向する壁面１２に形成された突部１３に衝突して、一次側空気Ｗ1の運動エネルギーが圧力に変換されるようにしたので、外側熱交換器３Ｂを通過する空気の風速分布Ａが均一化されることとなり、熱交換能力が向上するし、空力騒音の発生やドレン水の飛散も防止できるという効果がある。
【００３６】
請求項２の発明によれば、ファンの吹出側に位置し、該ファン２から送風される一次側空気Ｗ1の流入方向に対する傾斜角αが小さくなるようにケーシング１内に配設された熱交換器３を備えた空気調和機において、前記熱交換器３の一次側通路６を形成する部材における前記熱交換器３の一次側に対向する壁面１２に、前記一次側空気Ｗ1が衝突する形状の突部１３を設けて、熱交換器３の一次側通路６が通路断面の狭い行き止まり形状であっても、該一次側通路６を流れる一次側空気Ｗ1が、該熱交換器３の一次側に対向する壁面１２に形成された突部１３に衝突して、一次側空気Ｗ1の運動エネルギーが圧力に変換されるようにしたので、熱交換器３を通過する空気の風速分布Ａが均一化されることとなり、熱交換能力が向上するし、空力騒音の発生やドレン水の飛散も防止できるという効果がある。
【００３７】
請求項３の発明におけるように、請求項１および２のいずれか一項記載の空気調和機において、前記突部１３における前記一次側空気Ｗ1の主流方向上の位置を、該一次側空気Ｗ1の主流方向に直交する方向において変化させた場合、一次側空気Ｗ1の主流方向のみならず、該一次側空気Ｗ1の主流方向に直交する方向においても風速分布の偏流が抑制されることとなり、熱交換器全体での通過風速分布を均一化することができる。
【００３８】
請求項４の発明におけるように、請求項３記載の空気調和機において、前記突部１３における一次側空気Ｗ1の主流方向上の位置が変化する部位に、一次側空気Ｗ1の主流の上流方向に延びる偏流防止手段１４を設けた場合、突部１３における一次側空気Ｗ1の主流方向上の位置を、該一次側空気Ｗ1の主流方向に直交する方向において変化させたことにより、ファン２から遠い位置となる突部１３側に一次側空気Ｗ1の主流が流れ易くなって、一次側空気Ｗ1の主流方向に直交する方向に偏流が発生するおそれがあるが、偏流防止手段１４を設けたことにより、上記偏流が効果的に抑制されることとなり、熱交換器全体での通過風速分布をより一層均一化することができる。
【００３９】
請求項５の発明におけるように、請求項１、２、３および４のいずれか一項記載の空気調和機において、前記突部１３の基部１３ａを曲面で形成した場合、一次側空気Ｗ1が突部１３に衝突したときに生ずる圧力損失や乱流騒音の発生を低減することができる。
【００４０】
請求項６の発明におけるように、請求項１、２、３、４および５のいずれか一項記載の空気調和機において、前記突部１３を前記一次側空気Ｗ1の主流方向に複数形成するとともに、これらの突部１３，１３・・の突出量Ｌを、前記一次側空気Ｗ1の流速Ｕに対応させて変化させた場合、熱交換器の一次側空気Ｗ1が突部１３，１３・・に衝突したときの運動エネルギーの圧力への変換が平均化することとなり、熱交換器全体での通過風速分布をより一層均一化することができる。
【００４１】
請求項７の発明におけるように、請求項１、２、３、４および５のいずれか一項記載の空気調和機において、前記突部１３を前記一次側空気Ｗ1の主流方向に複数形成するとともに、これらの突部１３，１３・・間を、下流側に向かうにしたがって流路が狭くなるようにテーパ面１５，１５・・で連結した場合、上流側に位置する突部１３への一次側空気Ｗ1の衝突により該突部１３の下流側において空気流の剥離Ｅが発生して下流側の突部１３に衝突する風量が小さくなるという現象が生ずるが、突部１３，１３・・間を、下流側に向かうにしたがって流路が狭くなるようにテーパ面１５，１５・・で連結したことによって、突部１３，１３・・間において流路が徐々に狭まってテーパ面１５，１５・・に剥離した流れＥが再付着することとなり、剥離Ｅによる悪影響を緩和することができる。
【００４２】
請求項８の発明におけるように、請求項１、２、３、４、５、６および７のいずれか一項記載の空気調和機において、前記突部１３を形成する部材あるいは該突部１３を含む壁面１２全体を吸音材１７で構成した場合、一次側空気Ｗ1の突部１３への衝突により生ずるおそれのある衝突音を吸音材１７が吸収することとなり、騒音発生を抑制することができる。
【図面の簡単な説明】
【図１】本願発明の第１の実施の形態にかかる空気調和機（天井埋込式空気調和機）の縦断面図である。
【図２】本願発明の第１の実施の形態にかかる空気調和機（天井埋込式空気調和機）の要部拡大縦断面図である。
【図３】従来の天井埋込式空気調和機の要部拡大縦断面図である。
【図４】本願発明の第１の実施の形態にかかる空気調和機（天井埋込式空気調和機）における一次側通路壁面に形成される突部の変形例を示す部分拡大斜視図である。
【図５】本願発明の第１の実施の形態にかかる空気調和機（天井埋込式空気調和機）の一次側通路壁面に形成される突部の他の変形例を示す部分拡大斜視図である。
【図６】本願発明の第１の実施の形態にかかる空気調和機（天井埋込式空気調和機）の一次側通路壁面に形成される突部の変形例における一次側空気の流れの一例を説明するための部分拡大斜視図である。
【図７】本願発明の第１の実施の形態にかかる空気調和機（天井埋込式空気調和機）の一次側通路壁面に形成される突部の突出量と一次側空気の風速との関係を説明するための部分拡大断面図である。
【図８】本願発明の第１の実施の形態にかかる空気調和機（天井埋込式空気調和機）の一次側通路壁面に形成される突部のもう一つの変形例を示す部分拡大断面図である。
【図９】本願発明の第１の実施の形態にかかる空気調和機（天井埋込式空気調和機）の一次側通路壁面に形成される突部の他のもう一つの変形例を示す部分拡大断面図である。
【図１０】本願発明の第１の実施の形態にかかる空気調和機（天井埋込式空気調和機）の一次側通路壁面に形成される突部近傍における一次側空気の流れの一例を説明するための部分拡大断面図である。
【図１１】本願発明の第２の実施の形態にかかる空気調和機（天井吊り下げ型空気調和機）の縦断面図である。
【図１２】従来の天井吊り下げ型空気調和機の縦断面図である。
【符号の説明】
１はケーシング、２はファン（ターボファンあるいはシロッコファン）、３は熱交換器、３Ａは内側熱交換器、３Ｂは外側熱交換器、４は二次側通路、５は連結板、６，６Ａ，６Ｂは一次側通路、７は空気通路、１２は壁面、１３は突部、１３ａは基部、１４は偏流防止手段（偏流防止板）、１５はテーパ面、１６はファンケーシング、１６ａは吹出口、１７は吸音材、αは傾斜角、Ｗ1は一次側空気。
【図１】
0003742860.tif 000002
【図２】
0003742860.tif 000003
【図３】
0003742860.tif 000004
【図４】
0003742860.tif 000005
【図５】
0003742860.tif 000006
【図６】
0003742860.tif 000007
【図７】
0003742860.tif 000008
【図８】
0003742860.tif 000009
【図９】
0003742860.tif 000010
【図１０】
0003742860.tif 000011
【図１１】
0003742860.tif 000012
【図１２】
0003742860.tif 000013